(57)【要約】【課題】画像データを章単位で容易に管理することである。【解決手段】画像データに基づいて記録媒体に画像形成するプリンタ部４０と、一又は複数の章からなる画像データを章単位で記憶するＨＤＤ７０と、画像データの章を選択して選択情報を取得する操作表示部３０と、前記選択情報に基づいて、ＨＤＤ７０から選択した章の画像データを読み出してプリンタ部４０に画像形成させる制御手段１００と、を備える。【選択図】図２
2007036551.tif 000002
【特許請求の範囲】
【請求項１】
画像データに基づいて記録媒体に画像形成する画像形成手段と、
一又は複数の章からなる画像データを章単位で記憶する第１の記憶手段と、
画像データの章を選択して選択情報を取得する選択手段と、
前記選択情報に基づいて、前記第１の記憶手段から選択した章の画像データを読み出して前記画像形成手段に画像形成させる制御手段と、を備えることを特徴とする画像形成装置。
【請求項２】
前記章は、複数のページで構成されていることを特徴とする請求項１に記載の画像形成装置。
【請求項３】
前記第１の記憶手段は、不揮発の記憶手段であることを特徴とする請求項１又は２に記載の画像形成装置。
【請求項４】
原稿を読み取り画像データを取得する画像読み取り手段を備え、
前記第１の記憶手段は、前記画像読み取り手段により取得された画像データを章単位で記憶することを特徴とする請求項１から３のいずれか一項に記載の画像形成装置。
【請求項５】
前記第１の記憶手段は、章及び画像データを関連付けした章関連付け情報に基づいて、前記画像データを章単位で記憶することを特徴とする請求項１から４のいずれか一項に記載の画像形成装置。
【請求項６】
前記第１の記憶手段は、前記画像データを章単位のフォルダに格納することを特徴とする請求項１から５のいずれか一項に記載の画像形成装置。
【請求項７】
章及び画像データを関連付けした章関連付け情報を記憶する第２の記憶手段を備えることを特徴とする請求項１から６のいずれか一項に記載の画像形成装置。
【請求項８】
前記第１の記憶手段は、前記画像データと、章及び画像データを関連付けした章関連付け情報とを記憶することを特徴とする請求項１から６のいずれか一項に記載の画像形成装置。
【請求項９】
一又は複数の章からなる画像データを章単位で記憶する不揮発の第１の記憶手段を備えることを特徴とする画像記憶装置。
【請求項１０】
一又は複数の章からなる画像データを章単位で記憶する第１の記憶手段と、
画像データの章を選択して選択情報を取得する選択手段と、
前記選択情報に基づいて、前記第１の記憶手段に記憶された画像データのうちの選択した章の画像データを更新する制御手段と、を備えることを特徴とする画像記憶装置。
【請求項１１】
原稿を読み取り画像データを取得する画像読み取り手段を備え、
前記制御手段は、前記選択した章の画像データを前記画像読み取り手段により取得された画像データにより更新することを特徴とする請求項１０に記載の画像記憶装置。
【請求項１２】
前記第１の記憶手段は、章及び画像データを関連付けした章関連付け情報に基づいて、前記画像データを章単位で記憶することを特徴とする請求項９から１１のいずれか一項に記載の画像記憶装置。
【請求項１３】
章及び画像データを関連付けした章関連付け情報を記憶する第２の記憶手段を備えることを特徴とする請求項９から１２のいずれか一項に記載の画像記憶装置。
【請求項１４】
前記第１の記憶手段は、前記画像データと、章及び画像データを関連付けした章関連付け情報とを記憶することを特徴とする請求項９から１２のいずれか一項に記載の画像記憶装置。
【請求項１５】
一又は複数の章からなる画像データと、前記画像データのページを示すページ情報と、章及びページを関連付けした章関連付け情報と、を記憶する第１の記憶手段を備えることを特徴とする画像記憶装置。
【請求項１６】
前記第１の記憶手段は、不揮発の記憶手段であることを特徴とする請求項１０又は１５に記載の画像記憶装置。
【請求項１７】
前記章は、複数のページで構成されていることを特徴とする請求項９から１６のいずれか一項に記載の画像記憶装置。
【請求項１８】
原稿を読み取り画像データを取得する画像読み取り手段を備え、
前記第１の記憶手段は、前記画像読み取り手段により取得された画像データを章単位で記憶することを特徴とする請求項９から１７のいずれか一項に記載の画像記憶装置。
【請求項１９】
前記第１の記憶手段は、前記画像データを章単位のフォルダに格納することを特徴とする請求項９から１８のいずれか一項に記載の画像記憶装置。
【請求項２０】
請求項９から１９のいずれか一項に記載の画像記憶装置と、
前記第１の記憶手段に記憶されている画像データに基づいて、記録媒体に画像形成する画像形成手段と、を備えることを特徴とする画像形成装置。
【請求項２１】
一又は複数の章からなる画像データを章単位で第１の記憶手段に記憶する記憶工程と、
画像データの章を選択して選択情報を取得する工程と、
前記選択情報に基づいて、前記第１の記憶手段から選択した章の画像データを読み出して当該画像データに基づいて記録媒体に画像形成する工程と、
を含むことを特徴とする画像形成方法。
【請求項２２】
前記章は、複数のページで構成されていることを特徴とする請求項２１に記載の画像形成方法。
【請求項２３】
前記第１の記憶手段は、不揮発の記憶手段であることを特徴とする請求項２１又は２２に記載の画像形成方法。
【請求項２４】
原稿を読み取り画像データを取得する工程を含み、
前記記憶工程は、前記画像読み取りにより取得された画像データを章ごとに前記第１の記憶手段に記憶することを特徴とする請求項２１から２３のいずれか一項に記載の画像形成方法。
【請求項２５】
前記記憶工程は、章及び画像データを関連付けした章関連付け情報に基づいて、前記画像データを章ごとに前記第１の記憶手段に記憶することを特徴とする請求項２１から２４のいずれか一項に記載の画像形成方法。
【請求項２６】
前記記憶工程は、前記画像データを章単位のフォルダに格納して前記第１の記憶手段に記憶することを特徴とする請求項２１から２５のいずれか一項に記載の画像形成方法。
【請求項２７】
前記記憶工程は、章及び画像データを関連付けした章関連付け情報を第２の記憶手段に記憶することを特徴とする請求項２１から２６のいずれか一項に記載の画像形成方法。
【請求項２８】
前記記憶工程は、前記画像データと、章及び画像データを関連付けした章関連付け情報とを前記第１の記憶手段に記憶することを特徴とする請求項２１から２６のいずれか一項に記載の画像形成方法。
【請求項２９】
一又は複数の章からなる画像データを章単位で不揮発の第１の記憶手段に記憶する記憶工程を含むことを特徴とする画像記憶方法。
【請求項３０】
一又は複数の章からなる画像データを章単位で第１の記憶手段に記憶する記憶工程と、
画像データの章を選択して選択情報を取得する工程と、
前記選択情報に基づいて、前記第１の記憶手段に記憶された画像データのうちの選択した章の画像データを更新する制御工程と、を含むことを特徴とする画像記憶方法。
【請求項３１】
原稿を読み取り画像データを取得する画像読み取り工程を含み、
前記制御工程は、前記選択した章の画像データを前記画像読み取りにより取得された画像データにより更新することを特徴とする請求項３０に記載の画像記憶方法。
【請求項３２】
前記記憶工程は、章及び画像データを関連付けした章関連付け情報に基づいて、前記画像データを章単位で前記第１の記憶手段に記憶することを特徴とする請求項２９から３１のいずれか一項に記載の画像記憶方法。
【請求項３３】
前記記憶工程は、章及び画像データを関連付けした章関連付け情報を第２の記憶手段に記憶することを特徴とする請求項２９から３２のいずれか一項に記載の画像記憶方法。
【請求項３４】
前記記憶工程は、前記画像データと、章及び画像データを関連付けした章関連付け情報とを前記第１の記憶手段に記憶することを特徴とする請求項２９から３２のいずれか一項に記載の画像記憶方法。
【請求項３５】
一又は複数の章からなる画像データと、前記画像データのページを示すページ情報と、章及びページを関連付けした章関連付け情報と、を第１の記憶手段に記憶する記憶工程を含むことを特徴とする画像記憶方法。
【請求項３６】
前記第１の記憶手段は、不揮発の記憶手段であることを特徴とする請求項３０又は３５に記載の画像記憶方法。
【請求項３７】
前記章は、複数のページで構成されていることを特徴とする請求項２９から３６のいずれか一項に記載の画像記憶方法。
【請求項３８】
原稿を読み取り画像データを取得する工程を含み、
前記記憶工程は、前記取得された画像データを章単位で前記第１の記憶手段に記憶することを特徴とする請求項２９から３７のいずれか一項に記載の画像記憶方法。
【請求項３９】
前記記憶工程は、前記画像データを章単位のフォルダに格納して前記第１の記憶手段に記憶することを特徴とする請求項２９から３８のいずれか一項に記載の画像記憶方法。
【請求項４０】
請求項２９から３９のいずれか一項に記載の画像記憶方法と、
前記第１の記憶手段に記憶されている画像データに基づいて、記録媒体に画像形成する工程と、を含むことを特徴とする画像形成方法。
【発明の詳細な説明】
【技術分野】
【０００１】
本発明は、画像形成装置及び画像形成方法に関する。
【背景技術】
【０００２】
従来、原稿に記録された画像を読み取って画像データを取得し、その画像データの画像を記録用紙に画像形成する複写機等の画像形成装置において、ＨＤＤ（Hard Disk Drive）等の記憶手段を備え、その記憶手段に画像データをページ単位で記憶するものが実施されている。
【０００３】
また、複写機において、記憶手段に記憶された画像データのうち、出力ページ／非出力ページを指定入力し、出力ページの画像データを記録用紙に記録して出力する構成が考えられている（例えば、特許文献１参照）。
【特許文献１】特許第２５７１３６２号明細書
【発明の開示】
【発明が解決しようとする課題】
【０００４】
マニュアル等の場合、原稿が章単位で構成されていることが多く、章単位による更新、画像形成、削除等の画像データ管理の要求がある。しかし、従来の画像形成装置では、画像データをページ単位で管理するため、章単位で画像データを管理することができなかった。
【０００５】
図１３を参照して、従来の画像形成装置において、記憶されている画像データを差し替える構成を説明する。図１３（ａ）に、差し替え前の画像データの構成を示す。図１３（ｂ）に、差し替え後の画像データの構成を示す。
【０００６】
図１３（ａ）に示すように、原稿の画像読み取りにより生成された第１〜第ｍ章のｎページ（ｍ，ｎ：任意の自然数）の画像データ（圧縮画像データ）Ｐ１〜Ｐｎがジョブ情報Ｊ３とともに画像形成装置のＨＤＤに記憶されてページ管理されているものとする。Ｐｚは、第ｚページである旨を示す。画像データＰ１〜Ｐｎは、所定のジョブに関し、そのジョブに関する情報をジョブ情報Ｊ３が有する。第１章に画像データＰ１，Ｐ２が属し、第２章に画像データＰ３〜Ｐ５が属し、第３章に画像データＰ７〜Ｐ９が属する。第２章の３ページの画像データＰ３〜Ｐ５を２ページの差替画像データＱ１，Ｑ２で差し替える。
【０００７】
すると、図１３（ｂ）に示すように、差替画像データＱ１，Ｑ２が、画像データＰ３，Ｐ４として差し替えられ、第２章に属する。そして、１ページ分の頁画像データ欠如により、第３章以降の画像データのページ番号に欠番が存在することとなる。
【０００８】
また、所定の章において、差し替え前の画像データをそれよりも多いページ数の画像データで差し替える場合にも、ページ番号に重複が発生することとなる。このページ番号の欠番、重複の発生により、画像データを容易に管理することが難しかった。
【０００９】
さらに、ページ単位で画像データを記憶する構成では、上記のように特定の章だけを更新することができないため、変更のない章を含め全章の原稿を再度画像読み取り等で入力しなければならず、ユーザの作業負担が大きかった。
【００１０】
本発明の課題は、画像データを章単位で容易に管理することである。
【課題を解決するための手段】
【００１１】
上記の課題を解決するために、請求項１に記載の発明の画像形成装置は、
画像データに基づいて記録媒体に画像形成する画像形成手段と、
一又は複数の章からなる画像データを章単位で記憶する第１の記憶手段と、
画像データの章を選択して選択情報を取得する選択手段と、
前記選択情報に基づいて、前記第１の記憶手段から選択した章の画像データを読み出して前記画像形成手段に画像形成させる制御手段と、を備えることを特徴とする。
【００１２】
請求項２に記載の発明は、請求項１に記載の画像形成装置において、
前記章は、複数のページで構成されていることを特徴とする。
【００１３】
請求項３に記載の発明は、請求項１又は２に記載の画像形成装置において、
前記第１の記憶手段は、不揮発の記憶手段であることを特徴とする。
【００１４】
請求項４に記載の発明は、請求項１から３のいずれか一項に記載の画像形成装置において、
原稿を読み取り画像データを取得する画像読み取り手段を備え、
前記第１の記憶手段は、前記画像読み取り手段により取得された画像データを章単位で記憶することを特徴とする。
【００１５】
請求項５に記載の発明は、請求項１から４のいずれか一項に記載の画像形成装置において、
前記第１の記憶手段は、章及び画像データを関連付けした章関連付け情報に基づいて、前記画像データを章単位で記憶することを特徴とする。
【００１６】
請求項６に記載の発明は、請求項１から５のいずれか一項に記載の画像形成装置において、
前記第１の記憶手段は、前記画像データを章単位のフォルダに格納することを特徴とする。
【００１７】
請求項７に記載の発明は、請求項１から６のいずれか一項に記載の画像形成装置において、
章及び画像データを関連付けした章関連付け情報を記憶する第２の記憶手段を備えることを特徴とする。
【００１８】
請求項８に記載の発明は、請求項１から６のいずれか一項に記載の画像形成装置において、
前記第１の記憶手段は、前記画像データと、章及び画像データを関連付けした章関連付け情報とを記憶することを特徴とする。
【００１９】
請求項９に記載の発明の画像記憶装置は、
一又は複数の章からなる画像データを章単位で記憶する不揮発の第１の記憶手段を備えることを特徴とする。
【００２０】
請求項１０に記載の発明の画像記憶装置は、
一又は複数の章からなる画像データを章単位で記憶する第１の記憶手段と、
画像データの章を選択して選択情報を取得する選択手段と、
前記選択情報に基づいて、前記第１の記憶手段に記憶された画像データのうちの選択した章の画像データを更新する制御手段と、を備えることを特徴とする。
【００２１】
請求項１１に記載の発明は、請求項１０に記載の画像記憶装置において、
原稿を読み取り画像データを取得する画像読み取り手段を備え、
前記制御手段は、前記選択した章の画像データを前記画像読み取り手段により取得された画像データにより更新することを特徴とする。
【００２２】
請求項１２に記載の発明は、請求項９から１１のいずれか一項に記載の画像記憶装置において、
前記第１の記憶手段は、章及び画像データを関連付けした章関連付け情報に基づいて、前記画像データを章単位で記憶することを特徴とする。
【００２３】
請求項１３に記載の発明は、請求項９から１２のいずれか一項に記載の画像記憶装置において、
章及び画像データを関連付けした章関連付け情報を記憶する第２の記憶手段を備えることを特徴とする。
【００２４】
請求項１４に記載の発明は、請求項９から１２のいずれか一項に記載の画像記憶装置において、
前記第１の記憶手段は、前記画像データと、章及び画像データを関連付けした章関連付け情報とを記憶することを特徴とする。
【００２５】
請求項１５に記載の発明の画像記憶装置は、
一又は複数の章からなる画像データと、前記画像データのページを示すページ情報と、章及びページを関連付けした章関連付け情報と、を記憶する第１の記憶手段を備えることを特徴とする。
【００２６】
請求項１６に記載の発明は、請求項１０又は１５に記載の画像記憶装置において、
前記第１の記憶手段は、不揮発の記憶手段であることを特徴とする。
【００２７】
請求項１７に記載の発明は、請求項９から１６のいずれか一項に記載の画像記憶装置において、
前記章は、複数のページで構成されていることを特徴とする。
【００２８】
請求項１８に記載の発明は、請求項９から１７のいずれか一項に記載の画像記憶装置において、
原稿を読み取り画像データを取得する画像読み取り手段を備え、
前記第１の記憶手段は、前記画像読み取り手段により取得された画像データを章単位で記憶することを特徴とする。
【００２９】
請求項１９に記載の発明は、請求項９から１８のいずれか一項に記載の画像記憶装置において、
前記第１の記憶手段は、前記画像データを章単位のフォルダに格納することを特徴とする。
【００３０】
請求項２０に記載の発明の画像形成装置は、
請求項９から１９のいずれか一項に記載の画像記憶装置と、
前記第１の記憶手段に記憶されている画像データに基づいて、記録媒体に画像形成する画像形成手段と、を備えることを特徴とする。
【００３１】
請求項２１に記載の発明の画像形成方法は、
一又は複数の章からなる画像データを章単位で第１の記憶手段に記憶する記憶工程と、
画像データの章を選択して選択情報を取得する工程と、
前記選択情報に基づいて、前記第１の記憶手段から選択した章の画像データを読み出して当該画像データに基づいて記録媒体に画像形成する工程と、
を含むことを特徴とする。
【００３２】
請求項２２に記載の発明は、請求項２１に記載の画像形成方法において、
前記章は、複数のページで構成されていることを特徴とする。
【００３３】
請求項２３に記載の発明は、請求項２１又は２２に記載の画像形成方法において、
前記第１の記憶手段は、不揮発の記憶手段であることを特徴とする。
【００３４】
請求項２４に記載の発明は、請求項２１から２３のいずれか一項に記載の画像形成方法において、
原稿を読み取り画像データを取得する工程を含み、
前記記憶工程は、前記画像読み取りにより取得された画像データを章ごとに前記第１の記憶手段に記憶することを特徴とする。
【００３５】
請求項２５に記載の発明は、請求項２１から２４のいずれか一項に記載の画像形成方法において、
前記記憶工程は、章及び画像データを関連付けした章関連付け情報に基づいて、前記画像データを章ごとに前記第１の記憶手段に記憶することを特徴とする。
【００３６】
請求項２６に記載の発明は、請求項２１から２５のいずれか一項に記載の画像形成方法において、
前記記憶工程は、前記画像データを章単位のフォルダに格納して前記第１の記憶手段に記憶することを特徴とする。
【００３７】
請求項２７に記載の発明は、請求項２１から２６のいずれか一項に記載の画像形成方法において、
前記記憶工程は、章及び画像データを関連付けした章関連付け情報を第２の記憶手段に記憶することを特徴とする。
【００３８】
請求項２８に記載の発明は、請求項２１から２６のいずれか一項に記載の画像形成方法において、
前記記憶工程は、前記画像データと、章及び画像データを関連付けした章関連付け情報とを前記第１の記憶手段に記憶することを特徴とする。
【００３９】
請求項２９に記載の発明の画像記憶方法は、
一又は複数の章からなる画像データを章単位で不揮発の第１の記憶手段に記憶する記憶工程を含むことを特徴とする。
【００４０】
請求項３０に記載の発明の画像記憶方法は、
一又は複数の章からなる画像データを章単位で第１の記憶手段に記憶する記憶工程と、
画像データの章を選択して選択情報を取得する工程と、
前記選択情報に基づいて、前記第１の記憶手段に記憶された画像データのうちの選択した章の画像データを更新する制御工程と、を含むことを特徴とする。
【００４１】
請求項３１に記載の発明は、請求項３０に記載の画像記憶方法において、
原稿を読み取り画像データを取得する画像読み取り工程を含み、
前記制御工程は、前記選択した章の画像データを前記画像読み取りにより取得された画像データにより更新することを特徴とする。
【００４２】
請求項３２に記載の発明は、請求項２９から３１のいずれか一項に記載の画像記憶方法において、
前記記憶工程は、章及び画像データを関連付けした章関連付け情報に基づいて、前記画像データを章単位で前記第１の記憶手段に記憶することを特徴とする。
【００４３】
請求項３３に記載の発明は、請求項２９から３２のいずれか一項に記載の画像記憶方法において、
前記記憶工程は、章及び画像データを関連付けした章関連付け情報を第２の記憶手段に記憶することを特徴とする。
【００４４】
請求項３４に記載の発明は、請求項２９から３２のいずれか一項に記載の画像記憶方法において、
前記記憶工程は、前記画像データと、章及び画像データを関連付けした章関連付け情報とを前記第１の記憶手段に記憶することを特徴とする。
【００４５】
請求項３５に記載の発明の画像記憶方法は、
一又は複数の章からなる画像データと、前記画像データのページを示すページ情報と、章及びページを関連付けした章関連付け情報と、を第１の記憶手段に記憶する記憶工程を含むことを特徴とする。
【００４６】
請求項３６に記載の発明は、請求項３０又は３５に記載の画像記憶方法において、
前記第１の記憶手段は、不揮発の記憶手段であることを特徴とする。
【００４７】
請求項３７に記載の発明は、請求項２９から３６のいずれか一項に記載の画像記憶方法において、
前記章は、複数のページで構成されていることを特徴とする。
【００４８】
請求項３８に記載の発明は、請求項２９から３７のいずれか一項に記載の画像記憶方法において、
原稿を読み取り画像データを取得する工程を含み、
前記記憶工程は、前記取得された画像データを章単位で前記第１の記憶手段に記憶することを特徴とする。
【００４９】
請求項３９に記載の発明は、請求項２９から３８のいずれか一項に記載の画像記憶方法において、
前記記憶工程は、前記画像データを章単位のフォルダに格納して前記第１の記憶手段に記憶することを特徴とする。
【００５０】
請求項４０に記載の発明の画像形成方法は、
請求項２９から３９のいずれか一項に記載の画像記憶方法と、
前記第１の記憶手段に記憶されている画像データに基づいて、記録媒体に画像形成する工程と、を含むことを特徴とする。
【発明の効果】
【００５１】
請求項１、２１に記載の発明によれば、画像データを章単位で記憶して容易に管理できるとともに、画像データを章ごとに選択して容易に画像形成できる。
【００５２】
請求項２、２２に記載の発明によれば、複数のページからなる章単位で記憶された画像データを読み出して章単位に画像形成できる。
【００５３】
請求項３、２３に記載の発明によれば、再起動後にも章単位で記憶された画像データを読み出して章単位に画像形成できる。
【００５４】
請求項４、２４に記載の発明によれば、画像読み取りにより取得された画像データを章単位で記憶できる。
【００５５】
請求項５、２５に記載の発明によれば、画像データを章単位で容易に記憶及び読み出しできる。
【００５６】
請求項６、２６に記載の発明によれば、画像データを章のフォルダ単位で容易に記憶できる。
【００５７】
請求項７、２７に記載の発明によれば、章関連付け情報を容易に読み出しできる。
【００５８】
請求項８、２８に記載の発明によれば、画像データとともに章関連付け情報を容易に読み出して取得できる。
【００５９】
請求項９、２９に記載の発明によれば、再起動後にも章単位で記憶された画像データを章単位に読み出しでき、画像データを章単位で記憶して容易に管理できる。
【００６０】
請求項１０、３０に記載の発明によれば、画像データを章単位で記憶して容易に管理できるとともに、記憶された画像データを章単位で更新できる。
【００６１】
請求項１１、３１に記載の発明によれば、記憶された画像データを、画像読み取りで取得した画像データにより章単位で更新できる。
【００６２】
請求項１２、３２に記載の発明によれば、画像データを章単位で容易に記憶及び読み出しできる。
【００６３】
請求項１３、３３に記載の発明によれば、章関連付け情報を容易に読み出しできる。
【００６４】
請求項１４、３４に記載の発明によれば、画像データとともに章関連付け情報を容易に読み出して取得できる。
【００６５】
請求項１５、３５に記載の発明によれば、ページごとの画像データを章単位で記憶して容易に管理できる。
【００６６】
請求項１６、３６に記載の発明によれば、再起動時にも章単位で記憶された画像データを章単位に読み出しできる。
【００６７】
請求項１７、３７に記載の発明によれば、複数のページからなる章単位で画像データを記憶できる。
【００６８】
請求項１８、３８に記載の発明によれば、画像読み取りにより取得された画像データを章単位で記憶できる。
【００６９】
請求項１９、３９に記載の発明によれば、画像データを章のフォルダ単位で容易に記憶できる。
【００７０】
請求項２０、４０に記載の発明によれば、画像データを章単位で記憶して容易に管理できるとともに、画像データを章ごとに画像形成できる。
【発明を実施するための最良の形態】
【００７１】
以下、図面を参照して本発明に係る実施の形態を詳細に説明する。ただし、発明の範囲は、図示例に限定されない。
【００７２】
図１〜図１２を参照して本発明に係る実施の形態を説明する。先ず、図１及び図２を参照して本実施の形態の装置の特徴を説明する。図１に、本実施の形態の複写機１の構成を示す。図２に、複写機１の内部構成を示す。
【００７３】
先ず、図１を参照して、本実施の形態の画像形成装置、画像記憶装置としての複写機１を説明する。図１に示すように、複写機１は、画像読み取り手段としての画像読み取り部２０と、選択手段としての操作表示部３０と、画像形成手段としてのプリンタ部４０と、給紙ユニット５０と、後処理ユニット６０と、を備えて構成される。
【００７４】
画像読み取り部２０は、自動紙送り機構であるＡＤＦ（Auto Document Feeder）部２１と、スキャナ部２２と、を備えて構成される。ＡＤＦ部２１は、原稿台に載置された原稿を搬送する。スキャナ部２２は、ＡＤＦ部２１により搬送された原稿をコンタクトガラスを介して光走査し、又はプラテンガラス上に載置された原稿を光走査して、ＣＣＤ（Charge-Coupled Devices）イメージセンサ２３により光電変換して原稿画像に記録された画像を読み取り原稿画像データを取得する。
【００７５】
画像読み取り部２０により読み取られた原稿画像データには、後述する制御手段１００により各種画像処理が施され、印刷用画像データとしてプリンタ部４０に出力される。
【００７６】
操作表示部３０は、数字ボタン、印刷開始を指示するためのスタートキー、ユーティリティキー等の各種機能キーを備え、ユーザの入力を受け付けその入力情報を制御手段１００に出力する。操作表示部３０は、ＬＣＤ（Liquid Crystal Display）３１を備え、ＬＣＤ３１に画面上のタッチ入力を受け付けるタッチパネルが構成され、設定条件の設定画面等の各種操作画面や、各種処理結果を表示する。
【００７７】
プリンタ部４０は、電子写真方式の画像形成を行うものであり、給紙ユニット５０から給紙された記録用紙を搬送する搬送機構４１と、記録用紙に画像形成を行う画像形成部４２と、記録用紙上に形成されたトナー像を定着させる定着部４３と、を備えて構成される。また、画像形成部４２は、像担持体である感光ドラム、感光ドラムの帯電を行う帯電部と、画像データに基づいて感光ドラム表面に露光走査するＬＤ（LASER Diode）等の露光部と、感光ドラムにトナーを付着させる現像部と、感光ドラム上に形成されたトナー像を記録用紙に転写する転写部と、感光ドラム上の残トナーを除去するクリーニング部と、を備えて構成される。なお、本実施の形態では、プリンタ部４０が電子写真方式の画像形成を行うこととしたが、これに限定されるものではなく、インクジェット方式、熱転写方式、ドットインパクト方式等の他の画像形成方式としてもよい。
【００７８】
給紙ユニット５０は、給紙トレイ５１〜５４の４つの給紙トレイを備えて構成される。なお、本実施の形態では、４つの給紙トレイを備えることとしたが、これに限定されるものではなく、その数は特に限定しない。各給紙トレイ５１〜５４には、普通紙、裏紙、再生紙、上質紙等の用紙種及びサイズが異なる記録用紙を収容することが可能である。
【００７９】
後処理ユニット６０は、画像形成された記録用紙にソート処理、パンチ（穴開け）処理、ステープル処理、中折り処理、断裁処理等の各種後処理を施し、小冊子や製本を作成することが可能である。
【００８０】
図２を参照して、複写機１の内部構成を説明する。複写機１は、制御手段１００と、プリンタコントローラ１０と、画像読み取り部２０と、操作表示部３０と、プリンタ部４０と、後処理ユニット６０と、第１，第２の記憶手段としてのＨＤＤ（Hard Disk Drive）７０と、を備えて構成される。
【００８１】
プリンタコントローラ１０は、コントローラ制御部１１と、ＤＲＡＭ制御ＩＣ１２と、画像メモリ１３と、通信制御部１４と、ＮＩＣ（Network Interface Card）１５と、を備えて構成される。
【００８２】
コントローラ制御部１１は、各部の動作を統括的に制御し、通信制御部１４、ＮＩＣ１５を介して、ＬＡＮ（Local Area Network）上のユーザ端末としてのＰＣ（Personal Computer）２から入力される画像データ等の出力データをジョブとして制御手段１００へ配信する機能を実現する。
【００８３】
ＤＲＡＭ制御ＩＣ１２は、ＮＩＣ１５、通信制御部１４により受信された出力データの画像メモリ１３への格納や、画像メモリ１３からの出力データの読み出しを制御する。また、ＤＲＡＭ制御ＩＣ１２は、制御手段１００のＤＲＡＭ制御ＩＣ１６０とＰＣＩ（Peripheral Components Interconnect）バスで接続されており、コントローラ制御部１１からの指示に従って、プリント対象の出力データを画像メモリ１３から読み出してＤＲＡＭ制御ＩＣ１６０に出力する。
【００８４】
画像メモリ１３は、ＤＲＡＭから構成され、入力された出力データを一時的に格納する。
【００８５】
通信制御部１４は、ＮＩＣ１５の通信を制御する。ＮＩＣ１５は、ＬＡＮに接続するための通信インターフェイスであり、ＰＣ２からＬＡＮを介して、印刷対象の出力データを受信する。受信された出力データは、ＤＲＡＭ制御ＩＣ１２に出力される。
【００８６】
画像読み取り部２０は、図１に示したＡＤＦ部２１と、ＣＣＤ（Charge-Coupled Devices）イメージセンサ２３を有するスキャナ部２２と、画像読み取り制御部２４と、を備えて構成される。画像読み取り制御部２４は、画像制御部１１０からの指示に従って、ＡＤＦ部２１、スキャナ部２２を制御して原稿面の光走査を実行させ、読み取られたアナログ画像信号を制御手段１００の読み取り処理部１４０に出力する。
【００８７】
操作表示部３０は、表示部としてのＬＣＤ（Liquid Crystal Display）３１と一体型に構成されるタッチパネルと、図示しない各種機能キーと、操作表示制御部３２と、から構成される。操作表示制御部３２は、各種機能キー又はタッチパネルにより操作された操作信号を画像制御部１１０に出力する。また、操作表示制御部３２は、画像制御部１１０からの指示に従って、各種操作画面、各種処理結果等をＬＣＤ３１に表示させる。
【００８８】
プリンタ部４０は、画像形成部４２等の印刷に係る各部と、プリンタ制御部４４と、を備えて構成される。プリンタ制御部４４は、画像制御部１１０からの指示に従って、プリンタ部４０の各部の動作を制御し、書き込み処理部１９０から入力された画像データに基づいて画像形成部４２等に記録用紙の画像形成を行わせる。
【００８９】
後処理ユニット６０は、図示しない各種後処理部と、後処理制御部６１と、を備えて構成される。後処理制御部６１は、画像制御部１１０の指示に従って、プリンタ部４０から出力された画像形成済の記録用紙に各種後処理を施すように各種後処理部を制御する。
【００９０】
ＨＤＤ７０は、情報を読み出し及び書き込み可能で不揮発に記憶する。ＨＤＤ７０は、特に、後述するように圧縮ＩＣ１５０により圧縮された圧縮画像データを記憶する。
【００９１】
制御手段１００は、画像制御部１１０と、不揮発メモリ１２０と、ＲＡＭ（Random Access Memory）１３０と、読み取り処理部１４０と、圧縮ＩＣ１５０と、ＤＲＡＭ（Dynamic Random Access Memory）制御ＩＣ１６０と、画像メモリ１７０と、伸長ＩＣ１８０と、書き込み処理部１９０と、を備えて構成される。
【００９２】
画像制御部１１０は、ＣＰＵ（Central Processing Unit）等から構成され、複写機１の各部を集中制御する。画像制御部１１０は、不揮発メモリ１２０に格納されているシステムプログラム及び各種アプリケーションプログラムの中から指定されたプログラムを読み出してＲＡＭ１３０に展開し、ＲＡＭ１３０に展開されたプログラムとの協働で、各種処理を実行する。
【００９３】
画像制御部１１０は、後述する画像読み取りプログラムとの協働で、画像読み取り部２０の原稿の画像読み取りにより画像データを取得して章単位にＨＤＤ７０に記憶する。
【００９４】
画像制御部１１０は、後述する画像形成プログラムとの協働で、操作表示部３０により画像形成する章を選択指定し、その指定した章の画像データをＨＤＤ７０から読み出してプリンタ部４０に画像形成させる。
【００９５】
画像制御部１１０は、後述する画像データ更新プログラムとの協働で、操作表示部３０により更新する章を選択指定し、画像読み取り部２０の原稿の画像読み取りにより画像データを取得して、ＨＤＤ７０の指定された章の画像データを前記取得した画像データで更新する。
【００９６】
また、画像制御部１１０は、圧縮ＩＣ１５０により圧縮された圧縮画像データや、圧縮メモリ１７１に記憶された圧縮画像データをＨＤＤ７０に記憶させる制御を行う。
【００９７】
不揮発メモリ１２０は、フラッシュメモリ等で構成され、各種プログラム及びデータを書き換え可能に記憶する。不揮発メモリ１２０は、特に、画像読み取りプログラム、画像形成プログラム、画像データ更新プログラムを記憶する。ＲＡＭ１３０は、一時的に情報を格納するメモリであり、各種プログラム及びデータを展開するためのワークエリアを有する。
【００９８】
読み取り処理部１４０は、画像読み取り部２０のＣＣＤイメージセンサ２３から入力されるアナログ画像信号に、アナログ処理、Ａ／Ｄ変換処理、シェーディング処理等の各種処理を施してデジタル画像データを生成する。生成されたデジタル画像データは、圧縮ＩＣ１５０に出力される。圧縮ＩＣ１５０は、読み取り処理部１４０又はプリンタコントローラ１０から入力されたデジタル画像データに圧縮処理を施してＤＲＡＭ制御ＩＣ１６０に出力する。
【００９９】
ＤＲＡＭ制御ＩＣ１６０は、画像制御部１１０からの指示に従って、圧縮ＩＣ１５０によるデジタル画像データの圧縮処理及び伸長ＩＣ１８０による圧縮画像データの伸長処理を制御するとともに、画像メモリ１７０への画像データの入出力制御を行う。例えば、画像読み取り部２０により読み取られたアナログ画像信号の保存が指示されると、読み取り処理部１４０から入力されたデジタル画像データの圧縮処理を圧縮ＩＣ１５０により実行させて、圧縮画像データを画像メモリ１７０の圧縮メモリ１７１に格納させる。
【０１００】
また、ＤＲＡＭ制御ＩＣ１６０は、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された非圧縮画像データのプリント出力が指示されると、ページメモリ１７２から非圧縮画像データを読み出して書き込み処理部１９０に出力する。
【０１０１】
画像メモリ１７０は、ＤＲＡＭ等の圧縮メモリ１７１と、ページメモリ１７２と、を備えて構成される。圧縮メモリ１７１は、圧縮画像データを格納するためのメモリである。ページメモリ１７２は、プリント出力前にプリント出力対象の非圧縮画像データを一時的に格納するためのメモリである。
【０１０２】
伸長ＩＣ１８０は、入力される圧縮画像データに伸長処理を施す。書き込み処理部１９０は、ＤＲＡＭ制御ＩＣ１６０から入力された非圧縮画像データに基づいて、画像形成のためのプリントデータを生成し、プリンタ部４０（画像形成部４２）に出力する。
【０１０３】
次に、図３、図４及び図５を参照して、ＨＤＤ７０に記憶する画像データの構成を説明する。図３に、ＨＤＤ７０に記憶する画像データの構成を示す。図４（ａ）に、ジョブ情報の構成を示す。図４（ｂ）に、ページ情報の構成を示す。図５に、章単位のフォルダ構造を示す。
【０１０４】
ＨＤＤ７０に記憶する画像データは、ページ情報及び圧縮実画像データからなる各ページの少なくとも一つの圧縮画像データと、各圧縮画像データに対応するジョブ情報と、から構成される。例えば、図３に示すように、ページ情報Ｇ１〜Ｇ４及び圧縮実画像データＲ１〜Ｒ４からなる圧縮画像データＤ１〜Ｄ２と、これに対応するジョブ情報Ｊ１とがＨＤＤ７０に記憶される。
【０１０５】
ジョブ情報は、そのジョブの（圧縮）画像データ全てに共通する情報であり、画像データを記憶する際に実行したジョブに関する情報と、各章と各圧縮画像データとの関連付け情報としての章情報（章関連付け情報）とを含む。ジョブに関する情報は、例えば、図４（ａ）に示すように、画像読み取りジョブに関する情報としての、原稿サイズ、階調等の情報や、画像形成ジョブに関する情報としての、ジョブの設定部数、出力モード、使用トレイ、応用機能等の情報である。
【０１０６】
ページ情報は、各（圧縮）画像データの情報であり、図４（ｂ）に示すように、画像データの画像サイズ、画像向き、画像の幅等の情報を有する。
【０１０７】
画像データのＨＤＤ７０における記憶構造は、図５に示すようなフォルダによる階層構造とする。ルートディレクトリＲＯから、第１層としてのユーザ層と、第２層としてのボックス層と、第３層としてのファイル層と、第４層としての章層と、により構成される。
【０１０８】
ユーザ層は、ジョブ（画像データ）を扱う権利を有するユーザごとにユーザフォルダを備える。例えば、図５に示すように、ユーザフォルダＵ１，Ｕ２を備える。各ユーザフォルダにおいて、ユーザを認証するためのＩＤ及びパスワードが格納される。
【０１０９】
ボックス層は、所定ユーザが管理する少なくとも一つのボックスフォルダを備える。例えば、図５に示すように、ユーザフォルダＵ１の下に、ボックスフォルダＢ１，Ｂ２を備える。各ボックスフォルダにおいて、ボックスを扱う権利を有するユーザを認証するためのＩＤ及びパスワードが格納される。
【０１１０】
ファイル層は、ボックスフォルダ内に格納するジョブごとの画像データを格納するための少なくとも一つのファイルフォルダを備える。例えば、図５に示すように、ボックスフォルダＢ１の下に、ファイルフォルダＦ１〜Ｆ３を備える。各ファイルフォルダにおいて、各ファイルを認識するためのＩＤが格納され、ジョブ情報を含むジョブ情報及び章フォルダ、又は、ジョブ情報及びそのジョブ情報に属する（圧縮）画像データが格納される。
【０１１１】
章層は、章ごとの画像データを格納するための少なくとも一つの章フォルダを備える。例えば、図５に示すように、ファイルフォルダＦ１の下に、章フォルダＣＰ１〜ＣＰ４を備える。各章フォルダにおいて、ファイルフォルダＦ１に格納されるジョブ情報に対応しページ情報を含む圧縮画像データが格納される。
【０１１２】
次に、図６〜図１２を参照して、複写機１の動作を説明する。先ず、図６〜図９を参照して、複写機１で実行される画像読み取り処理及び画像形成処理を説明する。図６に、画像読み取り処理及び画像形成処理における各部の動作を示す。図７に、画像読み取り処理の流れを示す。図８に、画像形成処理の流れを示す。図９に、章選択画面３１０を示す。
【０１１３】
画像読み取り処理は、画像読み取りして取得した画像データを章に関連付けて記憶する処理である。複写機１において、例えば、操作表示部３０を介するユーザからの画像読み取り処理の実行指示入力等をトリガとして、不揮発メモリ１２０から読み出されて適宜ＲＡＭ１３０に展開された画像読み取りプログラムと、画像制御部１１０と、の協働により、画像読み取り処理が実行される。
【０１１４】
また、画像読み取り部２０には、適宜、画像読み取り用の原稿がセットされるものとする。
【０１１５】
図７に示すように、先ず、操作表示部３０を介してユーザからの画像読み取りジョブに関する各種設定入力が受け付けられて設定されるとともに、操作表示部３０を介してユーザからの画像読み取りジョブで取得する画像データのＨＤＤ７０の格納先となるファイルフォルダのフォルダ名（ファイル名）の入力が受け付けられ、そのファイル名のファイルフォルダがＨＤＤ７０に設定される（ステップＳ１１）。
【０１１６】
そして、操作表示部３０を介してユーザからの、画像読み取りジョブで取得する画像データのＨＤＤ７０の格納先となる章フォルダの章番号及び各章に属する画像のページ番号の対応の入力が受け付けられ、章番号及びページ番号の対応情報が設定され、その章番号の章フォルダがＨＤＤ７０に設定され、画像データを格納する格納先の章フォルダが第１章の章フォルダに設定される（ステップＳ１２）。ステップＳ１１，Ｓ１２では、図６に示すように、操作表示部３０を介して各種情報が入力されて制御手段１００に出力されて制御手段１００で設定される。
【０１１７】
そして、原稿の全ページが画像読み取り部２０により画像読み取りされたか否かが判別される（ステップＳ１３）。原稿の全ページが画像読み取りされていない場合（ステップＳ１３；ＮＯ）、ステップＳ１２で設定された章番号及びページ番号の対応情報に基づいて、次に読み取りを行う原稿の画像が章の先頭であるか否かが判別される（ステップＳ１４）。
【０１１８】
章の先頭である場合（ステップＳ１４；ＹＥＳ）、画像データの格納先の章フォルダが次章の章フォルダに設定される（ステップＳ１５）。そして、ステップＳ１１で設定された情報に基づいて、画像読み取り部２０において、原稿の１ページ分の画像が読み取られて、その画像データが取得される（ステップＳ１６）。具体的には、図６に示すように、画像読み取り部２０により原稿から読み取られた画像データが読み取り処理部１４０を介して圧縮ＩＣ１５０により圧縮されて圧縮画像データが作成されて圧縮メモリ１７１に格納される。章の先頭でない場合（ステップＳ１４；ＮＯ）、ステップＳ１６に移行される。
【０１１９】
そして、ＨＤＤ７０の格納先の章フォルダにステップＳ１６により取得された画像データが格納され（ステップＳ１７）、ステップＳ１３に移行される。具体的には、図６に示すように、圧縮メモリ１７１に格納された圧縮画像データが、ＨＤＤ７０内の格納先の章フォルダ内に格納される。
【０１２０】
原稿の全ページが画像読み取りされた場合（ステップＳ１３；ＹＥＳ）、ステップＳ１１、Ｓ１２で設定された情報に基づいて、章情報と、ステップＳ１６での画像読み取り（ジョブ）に関する情報とを含むジョブ情報が作成されてステップＳ１１で設定したファイルフォルダに格納され（ステップＳ１８）、画像読み取り処理が終了する。
【０１２１】
次いで、画像形成処理は、ＨＤＤ７０に記憶された画像データのうち、指定された章の画像データを画像形成する処理である。複写機１において、例えば、操作表示部３０を介するユーザからの画像形成処理の実行指示入力等をトリガとして、不揮発メモリ１２０から読み出されて適宜ＲＡＭ１３０に展開された画像形成プログラムと、画像制御部１１０と、の協働により、画像形成処理が実行される。
【０１２２】
図８に示すように、先ず、操作表示部３０を介してユーザからの、画像形成ジョブに関する各種設定入力が受け付けられて設定されるとともに、操作表示部３０を介してユーザからの画像形成ジョブで画像形成するファイルフォルダのフォルダ名（ファイル名）の指定入力が受け付けられて画像形成するファイルフォルダが設定されるとともに、設定されたファイルフォルダ内の全章の画像データを画像形成するか否かの情報が入力及び設定される（ステップＳ２１）。
【０１２３】
そして、ステップＳ２１の設定情報に基づいて、設定されたファイルフォルダ内の全章の画像データを画像形成するか否かが判別される（ステップＳ２２）。全章の画像データを画像形成しない場合（ステップＳ２２；ＮＯ）、操作表示部３０を介してユーザからの画像形成する章の指定入力が受け付けられて設定される（ステップＳ２３）。例えば、図９に示す章選択画面３１０がＬＣＤ３１に表示され、ユーザからの数字キー入力により章番号が選択されて指定入力される。ステップＳ２１，Ｓ２３では、図６に示すように、操作表示部３０を介して各種情報が入力されて制御手段１００に出力されて制御手段１００で設定される。
【０１２４】
そして、ステップＳ２１で設定された全章又はステップＳ２３で設定された指定章の、画像形成する全ての画像データがＨＤＤ７０から読み出されたか否かが判別される（ステップＳ２４）。全章の画像データを画像形成する場合（ステップＳ２２；ＹＥＳ）、ステップＳ２４に移行される。
【０１２５】
画像形成する章の全ての画像データが読み出されていない場合（ステップＳ２４；ＮＯ）、ステップＳ２１で設定されたＨＤＤ７０のファイルフォルダ内の画像形成する章フォルダのうち、未選択の章フォルダが一つ選択され、その選択された章フォルダに格納される全ての画像データが読み出され（ステップＳ２５）、ステップＳ２４に移行される。具体的には、図６に示すように、ＨＤＤ７０の選択中の章フォルダ内の圧縮画像データが読み出されて圧縮メモリ１７１に格納される。
【０１２６】
画像形成する章の全ての画像データが読み出された場合（ステップＳ２４；ＹＥＳ）、ステップＳ２１で設定された画像読み取りジョブの設定情報に基づいて、ステップＳ２５で読み出された画像データがプリンタ部４０により記録用紙に画像形成されて出力され（ステップＳ２６）、画像形成処理が終了する。具体的には、図６に示すように、圧縮メモリ１７１に格納された画像形成対象の圧縮画像データが伸長ＩＣ１８０により伸長されてその画像データがページメモリ１７２に格納され、ページメモリ１７２に格納された画像データが読み出されて書き込み処理部１９０を介してプリンタ部４０により記録用紙に画像形成される。
【０１２７】
次いで、図１０〜図１３を参照して、複写機１で実行される画像データ更新処理を説明する。図１０に、画像データ更新処理における各部の動作を示す。図１１に、画像データ更新処理の流れを示す。図１２（ａ）に、章の更新前の画像データの構成を示す。図１２（ｂ）に、章の更新後の画像データの構成を示す。
【０１２８】
画像データ更新処理は、ＨＤＤ７０に記憶された（圧縮）画像データのうちの特定の章の（圧縮）画像データを更新する処理である。複写機１において、例えば、操作表示部３０を介するユーザからの画像データ更新処理の実行指示入力等をトリガとして、不揮発メモリ１２０から読み出されて適宜ＲＡＭ１３０に展開された画像データ更新プログラムと、画像制御部１１０と、の協働により、画像データ更新処理が実行される。
【０１２９】
また、画像読み取り部２０には、適宜、更新後の画像が記憶されている画像読み取り用の原稿がセットされるものとする。
【０１３０】
図１１に示すように、先ず、操作表示部３０を介してユーザからの画像読み取りジョブに関する各種設定入力が受け付けられて設定されるとともに、操作表示部３０を介してユーザからの画像データを更新するファイルフォルダのフォルダ名（ファイル名）の指定入力が受け付けられて更新するファイルフォルダが設定される（ステップＳ３１）。
【０１３１】
そして、ステップＳ３１において、設定されたファイルフォルダ内の更新対象の章の指定入力が受け付けられてその章フォルダが更新対象として設定される（ステップＳ３２）。ステップＳ３１，Ｓ３２では、図１０に示すように、操作表示部３０を介して各種情報が入力されて制御手段１００に出力される。
【０１３２】
そして、ステップＳ３１で設定された情報に基づいて、画像読み取り部２０において、原稿の画像が読み取られて、その画像データが取得される（ステップＳ３３）。具体的には、図１０に示すように、画像読み取り部２０により原稿から読み取られた画像データが読み取り処理部１４０を介して圧縮ＩＣ１５０により圧縮されて圧縮画像データが作成されて圧縮メモリ１７１に格納される。
【０１３３】
そして、ステップＳ３１で設定されたＨＤＤ７０のファイルフォルダ内のステップＳ３２で設定された更新対象の章フォルダ内の画像データが削除される（ステップＳ３４）。ステップＳ３４では、図１０に示すように、制御手段１００により、ＨＤＤ７０の更新対象の章フォルダ内の圧縮画像データが削除される。
【０１３４】
そして、ステップＳ３４で画像データが削除された章フォルダ内に、ステップＳ３３で取得された画像データが格納される（ステップＳ３５）。ステップＳ３５では、図１０に示すように、制御手段１００により、ステップＳ３３で圧縮メモリ１７１に記憶された圧縮画像データが、ステップＳ３４で画像データが削除されたＨＤＤ７０の章フォルダ内に格納される。
【０１３５】
そして、更新後の章と画像データとに基づいて、ステップＳ３１で選択されたファイルフォルダ内のジョブ情報（の章情報）が更新され（ステップＳ３６）、画像データ更新処理が終了する。
【０１３６】
図１２を参照して、画像データ更新の具体例を説明する。図１２（ａ）に示すように、原稿の画像読み取りにより生成されて章分けされた第１〜第ｍ章の画像データ（圧縮画像データ）Ｃ１−１〜Ｃｍ−ｋ（ｍ，ｋ：任意の自然数）がジョブ情報Ｊ１とともに複写機１のＨＤＤ７０に記憶されて章管理されているものとする。Ｃｘ−ｙにおいて、ｘを章番号とし、ｙを章ごとのページ番号とする。
【０１３７】
画像データＣ１−１〜Ｃｍ−ｋは、所定のジョブに関し、そのジョブに関する情報をジョブ情報Ｊ１が有する。第１章に画像データＣ１−１，Ｃ１−２が属し、第２章に画像データＣ２−１〜Ｃ２−３が属し、第３章に画像データＣ３−１〜Ｃ３−４が属する。第２章の３ページの画像データＣ２−１〜Ｃ２−３を、２ページの画像読取により取得した更新画像データＴ１，Ｔ２で差し替える。
【０１３８】
すると、図１２（ｂ）に示すように、第２章の章フォルダに更新画像データＴ１，Ｔ２が、新たに画像データＣ２−１，Ｃ２−２として格納され、ジョブ情報Ｊ１も画像データ更新後のジョブ情報Ｊ２に更新される。そして、第３章以降の画像データの章ページ番号に欠番は存在しないこととなる。また、図１２の例において、更新画像データが４以上の場合にも、第３章以降の画像データを更新することなく、画像データの重複が発生しない。
【０１３９】
以上、本実施の形態によれば、各ページの画像データを、複数のページからなる章単位でＨＤＤ７０に記憶して容易に管理できるとともに、画像データを章ごとに選択してプリンタ部４０により画像形成できる。また、不揮発のＨＤＤ７０に画像データを記憶するので、-再起動後にも章単位で記憶された画像データをＨＤＤ７０から読み出して章単位に画像形成できる。
【０１４０】
また、画像読み取り部２０による画像読み取りで取得された画像データを章単位でＨＤＤ７０に記憶できる。また、画像データとともに章情報をＨＤＤ７０から容易に読み出して取得でき、ＨＤＤ７０に記憶されたジョブ情報の章情報に基づいて、画像データを章のフォルダ単位で容易にＨＤＤ７０に記憶及び読み出しできる。また、ＨＤＤ７０に記憶された画像データを章単位で更新できる。また、ページごとの画像データを章単位でＨＤＤ７０に記憶して管理できる。
【０１４１】
なお、上記実施の形態における記述は、本発明に係る好適な画像形成装置及び画像形成方法の一例であり、これに限定されるものではない。
【０１４２】
例えば、上記実施の形態においては、画像読み取り処理及び画像形成処理を分けて説明したが、これに限定されるものではなく、画像複写処理を実行し、画像読み取り部２０により画像読み取りした画像データを章単位でＨＤＤ７０に記憶するとともに、その画像データをプリンタ部４０で画像形成する構成としてもよい。この場合、ＨＤＤ７０に記憶されるジョブ情報は、画像読み取りジョブ及び画像形成ジョブに関する情報を含む。
【０１４３】
また、上記実施の形態においては、画像データ更新処理において、更新後の画像データを画像読み取り部２０の画像読み取りで取得する構成としたが、これに限定されるものではなく、ＰＣ２等の外部機器から入力された画像データを更新後のものとする構成としてもよい。
【０１４４】
また、上記実施の形態においては、画像データを章単位のフォルダ構造でＨＤＤ７０に記憶する構成としたが、これに限定されるものではなく、少なくとも章情報（章関連付け情報）により章単位で画像データが読み出し可能に記憶されていればよい。例えば、章情報とが画像データとが、異なる記憶手段に記憶される構成としてもよい。また、章情報とが画像データとが同一の記憶手段に記憶されることが好ましく、その記憶手段が可搬のものとしてもよい。また、画像データ、ジョブ情報をＨＤＤ７０に記憶する構成としたが、これに限定されるものではなく、半導体メモリ、磁気メモリ、光磁気ディスク等の不揮発の記憶手段に記憶する構成としてもよい。
【０１４５】
また、上記実施の形態における複写機１を構成する装置各部の細部構成及び細部動作に関して本発明の趣旨を逸脱することのない範囲で適宜変更可能である。
【図面の簡単な説明】
【０１４６】
【図１】本発明に係る実施の形態の複写機１の構成を示す図である。
【図２】複写機１の内部構成を示すブロック図である。
【図３】ＨＤＤ７０に記憶する画像データの構成を示す図である。
【図４】（ａ）は、ジョブ情報の構成を示す図である。（ｂ）は、ページ情報の構成を示す図である。
【図５】章単位のフォルダ構造を示す図である。
【図６】画像読み取り処理及び画像形成処理における各部の動作を示す図である。
【図７】画像読み取り処理を示すフローチャートである。
【図８】画像形成処理を示すフローチャートである。
【図９】章選択画面３１０を示す図である。
【図１０】画像データ更新処理における各部の動作を示す図である。
【図１１】画像データ更新処理を示すフローチャートである。
【図１２】（ａ）は、章の更新前の画像データの構成を示す図である。（ｂ）は、章の更新後の画像データの構成を示す図である。
【図１３】（ａ）は、差し替え前の画像データの構成を示す図である。（ｂ）は、差し替え後の画像データの構成を示す図である。
【符号の説明】
【０１４７】
１  複写機
１００  制御手段
１１０  画像制御部
１２０  不揮発メモリ
１３０  ＲＡＭ
１４０  読み取り処理部
１５０  圧縮ＩＣ
１６０  ＤＲＡＭ制御ＩＣ
１７０  画像メモリ
１８０  伸長ＩＣ
１９０  書き込み処理部
１０  プリンタコントローラ
１１  コントローラ制御部
１２  ＤＲＡＭ制御ＩＣ
１３  画像メモリ
１４  通信制御部
１５  ＮＩＣ
２０  画像読み取り部
２１  ＡＤＦ部
２２  スキャナ部
２３  ＣＣＤイメージセンサ
２４  画像読み取り制御部
３０  操作表示部
３１  ＬＣＤ
３２  操作表示制御部
４０  プリンタ部
４１  搬送機構
４２  画像形成部
４３  定着部
４４  プリンタ制御部
５０  給紙ユニット
５１〜５４  給紙トレイ
６０  後処理ユニット
６１  後処理制御部
７０  ＨＤＤ
２  ＰＣ
【図１】
2007036551.tif 000003
【図２】
2007036551.tif 000004
【図３】
2007036551.tif 000005
【図４】
2007036551.tif 000006
【図５】
2007036551.tif 000007
【図６】
2007036551.tif 000008
【図７】
2007036551.tif 000009
【図８】
2007036551.tif 000010
【図９】
2007036551.tif 000011
【図１０】
2007036551.tif 000012
【図１１】
2007036551.tif 000013
【図１２】
2007036551.tif 000014
【図１３】
2007036551.tif 000015